(57)【要約】【課題】利用者が着目している施設と検索された施設とで優先順位を比較することができなかった。【解決手段】評価が対応づけられた複数の施設から基準検索条件に合致する施設を検索し、検索された施設の少なくとも一つを基準施設として取得し、前記複数の施設から特定の検索条件に合致する特定施設を検索し、前記基準施設の評価と前記特定施設の評価を取得し、前記基準施設の評価と前記特定施設の評価との対比を示す情報を表示部に表示する。【選択図】図４
2010231345.tif 000002
【特許請求の範囲】
【請求項１】
評価が対応づけられた複数の施設から基準検索条件に合致する基準施設を検索する基準施設検索手段と、
前記複数の施設から特定の検索条件に合致する特定施設を検索する特定施設検索手段と、
前記基準施設の評価と前記特定施設の評価を取得する評価取得手段と、
前記基準施設の評価と前記特定施設の評価との対比を示す情報を表示部に表示する表示手段と、
を備える検索支援装置。
【請求項２】
前記表示手段は、
前記基準施設の中での前記基準施設の評価の順位を示す第１順位を特定し、
前記基準施設および前記特定施設の中での前記基準施設の評価の順位を示す第２順位を特定し、
前記第１順位と前記第２順位との変化を示す情報を、前記基準施設の評価と前記特定施設の評価との対比を示す情報として取得する、
請求項１に記載の検索支援装置。
【請求項３】
前記表示手段は、
前記基準施設の評価の平均を示す第１平均を特定し、
前記特定施設の評価の平均を示す第２平均を特定し、
前記第１平均と前記第２平均との変化を示す情報を、前記基準施設の評価と前記特定施設の評価との対比を示す情報として取得する、
請求項１または請求項２のいずれかに記載の検索支援装置。
【請求項４】
評価が対応づけられた複数の施設から基準検索条件に合致する基準施設を検索する基準施設検索工程と、
前記複数の施設から特定の検索条件に合致する特定施設を検索する特定施設検索工程と、
前記基準施設の評価と前記特定施設の評価を取得する評価取得工程と、
前記基準施設の評価と前記特定施設の評価との対比を示す情報を表示部に表示する表示工程と、
を含む検索支援方法。
【請求項５】
評価が対応づけられた複数の施設から基準検索条件に合致する基準施設を検索する基準施設検索機能と、
前記複数の施設から特定の検索条件に合致する特定施設を検索する特定施設検索機能と、
前記基準施設の評価と前記特定施設の評価を取得する評価取得機能と、
前記基準施設の評価と前記特定施設の評価との対比を示す情報を表示部に表示する表示機能と、
をコンピュータに実現させる検索支援プログラム。
【発明の詳細な説明】
【技術分野】
【０００１】
本発明は、検索支援装置、検索支援方法および検索支援プログラムに関する。
【背景技術】
【０００２】
従来、地図上に表示される施設に対して予め優先順位を設定しておき、施設を検索して検索結果を表示する場合に優先順位が高い施設であるほど視認性が高くなるように強調表示する技術が知られている（例えば、特許文献１）。また、当該特許文献１においては、所定距離以内の施設を検索対象とすることや、施設に対して複数の属性を対応づけるとともに利用者の好みに適合した属性であるほど高い順位となるように優先順位を設定することが開示されている。
【先行技術文献】
【特許文献】
【０００３】
【特許文献１】特開２００７−３２２９０６号公報
【発明の概要】
【発明が解決しようとする課題】
【０００４】
従来の技術においては、車両から所定距離以内の施設を検索対象とするなど特定の検索条件を設定して検索を実行して優先順位に従って表示するが、利用者が着目している施設と検索された施設とで優先順位を比較することはできない。
本発明は、上記課題に鑑みてなされたものであり、利用者が着目している施設と特定の検索条件で検索された施設との対比を行う検索システムを提供することを目的とする。
【課題を解決するための手段】
【０００５】
上記の目的を達成するため、本発明においては、複数の施設から基準検索条件に合致する基準施設を検索する。また、複数の施設から特定の検索条件に合致する特定施設を検索する。そして、基準施設の評価と特定施設の評価を取得し、基準施設の評価と特定施設の評価との対比を示す情報を表示部に表示する。すなわち、基準検索条件によって検索された基準施設の評価と、特定の検索条件によって検索された特定施設の評価を対比可能に表示する。この構成によれば、表示部を視認することによって利用者が基準施設の評価と特定施設の評価を対比することが可能になり、利用者が着目する基準施設の評価に対して新たに検索した特定施設の評価がどのような関係にあるのか対比することが可能である。
【０００６】
ここで、基準施設検索手段は、評価が対応づけられた複数の施設から基準検索条件に合致する基準施設を検索することができればよい。すなわち、特定施設との対比を行うために利用者が着目する基準施設を取得することができればよい。複数の施設は、予め評価が対応づけられていればよく、当該評価は施設間の評価を相対的に比較することができるように定義されていればよい。評価項目や評価手法の態様は特に限定されず、施設自体の評価（例えば、立地や規模などの評価）であってもよいし、施設に付帯する事項の評価（例えば、施設で提供されるサービスの質などの評価）であってもよい。
【０００７】
基準検索条件は、基準施設を抽出するための検索条件であればよく、予め特定されていてもよいし、利用者によって選択可能でもよい。基準検索条件は施設に対応するあらゆるパラメータ（属性、領域、名称等）に関して設定可能である。さらに、基準施設は、基準検索条件に合致する施設であればよく、検索された施設の全てであってもよいし、検索された施設の中から少なくとも一つの施設を選択して基準施設としてもよい。すなわち、利用者が特定施設と対比することを望む施設を一つ以上予め検索しておけばよい。
【０００８】
特定施設検索手段は、複数の施設から特定の検索条件に合致する特定施設を検索することができればよく、利用者所望の検索条件を特定の検索条件とすればよい。すなわち、利用者所望の検索条件である特定の検索条件で検索された特定施設の評価が基準施設の評価と対比できるように構成することで、基準施設と対比した特定施設の評価を利用者が検討できるように構成されていればよい。特定の検索条件は、施設に対応するあらゆるパラメータ（属性、領域、名称等）に関して設定可能である。
【０００９】
評価取得手段は、基準施設の評価と特定施設の評価を取得することができればよい。従って、検索支援装置に付属する記録媒体に対して予め各施設の評価を示す情報を記録しておき、基準施設や特定施設の評価を当該記録媒体から取得する構成を採用可能である。また、外部の装置に付属する記録媒体に対して予め記録された各施設の評価を示す情報を通信によって取得して基準施設や特定施設の評価を特定してもよい。
【００１０】
表示手段は、基準施設の評価と特定施設の評価との対比を示す情報を表示部に表示することができればよい。すなわち、特定の検索条件によって特定施設を検索する過程において、検索された特定施設の評価と予め特定されている基準施設の評価とを対比することによって、施設検索の支援を行うことができればよい。表示部における表示内容は、評価の対比を可能にする内容であればよく、施設毎の評価を個別に対比する表示内容であっても良いし、基準施設と特定施設とのそれぞれをグループ化して対比する表示内容であってもよい。前者としては、例えば、基準施設と特定施設とのそれぞれをグループ化し、一方のグループに属する施設を他方のグループに含めて評価を対比する構成等を採用可能である。また、後者としては、例えば、基準施設と特定施設とのそれぞれをグループ化し、グループ毎の評価を対比する構成等を採用可能である。
【００１１】
なお、基準施設の評価と特定施設の評価との対比を示す情報を表示部に表示して施設検索の支援を行う技術は、各種の装置に適用可能である。特に、走行開始地点から目的地までの経路探索を行うナビゲーション装置においては、目的地として選択可能な施設を示す情報を含む地図情報を用いて経路探索を行うため、本発明は当該ナビゲーション装置に適用することが好ましい。本発明を当該ナビゲーション装置に適用する場合、例えば、利用者所望の基準検索条件によって検索した基準施設に着目してさらに特定の検索条件によって特定施設を検索することにより、着目した基準施設よりも評価の高い施設が特定施設に含まれるか否かなど、基準施設の評価と対比した上での特定施設の評価を容易に認識することができる。従って、利用者は所望の評価の施設を容易に探すことが可能になり、所望の評価の施設を容易に目的地として設定することが可能になる。
【００１２】
さらに、評価の順位によって施設の評価を対比できるように構成してもよい。例えば、基準施設の中での基準施設の評価の順位を示す第１順位を特定し、基準施設および特定施設の中での基準施設の評価の順位を示す第２順位を特定し、第１順位と第２順位との変化を示す情報を、基準施設の評価と特定施設の評価との対比を示す情報として取得する構成を採用可能である。この構成によれば、検索条件を基準検索条件から特定の検索条件に変動させた場合に基準施設の評価の順位がどのように変化するのかを容易に把握することが可能になる。
【００１３】
また、特定の検索条件と基準検索条件とを対比することも可能になる。すなわち、第１順位と第２順位とのそれぞれにおいては、基準施設と比較する比較対象が異なる。具体的には、第１順位は基準施設同士で評価を比較することによって基準施設の順位が特定され、第２順位は特定の検索条件に合致する特定施設および基準施設と基準施設を比較することによって基準施設の順位が特定される。従って、第１順位は基準検索条件を反映し、第２順位は特定の検索条件を反映して決められる。このため、第１順位と第２順位とを対比すれば、基準検索条件を特定の検索条件に変更することによってより高評価の施設が検索されやすくなるのか、低評価の施設が検索されやすくなるのかを特定することが可能である。
【００１４】
さらに、評価の平均によって施設の評価を対比できるように構成してもよい。例えば、基準施設の評価の平均を示す第１平均を特定し、特定施設の評価の平均を示す第２平均を特定し、第１平均と第２平均との変化を示す情報を、基準施設の評価と特定施設の評価との対比を示す情報として取得する構成を採用可能である。この構成によれば、検索条件を基準検索条件から特定の検索条件に変動させた場合に検索される施設の評価がどのように変化するのかを容易に把握することが可能になる。従って、基準検索条件を特定の検索条件に変更することによってより高評価の施設が検索されやすくなるのか、低評価の施設が検索されやすくなるのかを特定することが可能である。
【００１５】
本発明のように、基準検索条件によって検索された基準施設の評価と特定の検索条件によって検索された特定施設の評価との対比を示す情報を表示部に表示する手法は、この処理を行う方法やプログラムとしても適用可能である。また、以上のような検索支援装置、方法、プログラムは、単独の装置として実現される場合もあれば、複数の装置として実現される場合もある。また、車両に備えられる各部と共有の部品を利用して実現される場合もあれば、車両に搭載されない各部と連携して実現される場合もあり、各種の態様を含むものである。また、一部がソフトウェアであり一部がハードウェアであったりするなど、適宜、変更可能である。さらに、検索支援装置を制御するプログラムの記録媒体としても発明は成立する。むろん、そのソフトウェアの記録媒体は、磁気記録媒体であってもよいし光磁気記録媒体であってもよいし、今後開発されるいかなる記録媒体においても全く同様に考えることができる。
【図面の簡単な説明】
【００１６】
【図１】検索支援装置を示すブロック図である。
【図２】検索支援処理を示すフローチャートである。
【図３】（３Ａ）〜（３Ｃ）は検索支援処理における画面遷移例を示す図である。
【図４】（４Ａ）〜（４Ｃ）は検索支援処理における画面遷移例を示す図である。
【図５】（５Ａ）〜（５Ｄ）は検索支援処理における画面遷移例を示す図である。
【発明を実施するための形態】
【００１７】
ここでは、下記の順序に従って本発明の実施の形態について説明する。
（１）検索支援装置の構成：
（２）検索支援処理：
（３）他の実施形態：
【００１８】
（１）検索支援装置の構成：
図１は、本発明の１実施形態にかかる検索支援装置の構成を示すブロック図である。本実施形態において検索支援装置は、ナビゲーション装置１０によって実現される。ナビゲーション装置１０は、ＣＰＵ、ＲＡＭ、ＲＯＭ等を備える制御部２０と記録媒体３０とを備えており、制御部２０は、記録媒体３０やＲＯＭに記憶されたプログラムを実行することができる。本実施形態においては、このプログラムの一つとしてナビゲーションプログラム２１を実行可能である。ナビゲーションプログラム２１は、車両の現在位置から目的地までの走行経路を探索し、当該走行経路に従って車両を走行させるための支援を行う機能を制御部２０に実現させるプログラムである。本実施形態においてナビゲーションプログラム２１は、当該走行経路を探索する前に基準施設と特定施設とを対比しながら目的地を検索する機能を備えている。
【００１９】
本実施形態においては、ナビゲーションプログラム２１による機能を実現するため、車両には、ＧＰＳ受信部４０と車速センサ４１とジャイロセンサ４２と通信部４３とユーザＩ／Ｆ部４４とが備えられている。ＧＰＳ受信部４０は、ＧＰＳ衛星からの電波を受信し、図示しないインタフェースを介して車両の現在位置を算出するための信号を出力する。車速センサ４１は、車両が備える車輪の回転速度に対応した信号を出力する。ジャイロセンサ４２は、車両の水平面内の旋回についての角加速度を検出し、車両の向きに対応した信号を出力する。制御部２０は、ＧＰＳ受信部４０，車速センサ４１，ジャイロセンサ４２等の出力信号および後述する地図情報３０ａに基づいて車両の現在位置を特定する。
【００２０】
通信部４３は、車両の外部の図示しない施設情報管理装置と通信を行う回路を備えており、制御部２０は、通信部４３を介して当該施設情報管理装置と通信を行い、任意の施設に関する評価情報を取得する。ユーザＩ／Ｆ部４４は、ユーザに各種の情報を提供し、またはユーザの指示を入力するためのインタフェース部であり、図示しないタッチパネルディスプレイやスピーカーなどを備えている。制御部２０は、当該ユーザＩ／Ｆ部４４に対して制御信号を出力して任意の画像をタッチパネルディスプレイに表示させ、任意の音声をスピーカーから出力させる。また、制御部２０は、ユーザＩ／Ｆ部４４の出力信号に基づいて利用者の指示内容を特定する。
【００２１】
記録媒体３０には予め地図情報３０ａが記憶されている。地図情報３０ａは、車両が走行する道路上に設定されたノードを示すノードデータ、ノード間の道路の形状を特定するための形状補間点データ、ノード同士の連結を示すリンクデータ、道路あるいは道路の周辺に存在する複数の施設を示す施設情報３０ｂ等を含んでいる。施設情報３０ｂには、複数の施設のそれぞれについて施設の特徴による分類を示す属性や施設の位置、規模、名称等の情報が対応づけられて定義される。なお、上述の評価は当該属性についての評価であり、本実施形態においては、施設情報管理装置の記録媒体に施設と施設の評価とを対応づけた情報が記録されている。なお、当該評価は施設間の評価を相対的に比較することができるように定義されている。本実施形態においては、施設に付帯する事項の評価（例えば、施設で提供されるサービスの質などの評価）を示す評価値が各施設に対応づけられる。
【００２２】
ナビゲーションプログラム２１は、ＧＰＳ受信部４０と車速センサ４１とジャイロセンサ４２の出力信号に基づいて車両の現在位置を特定し、地図情報３０ａを参照して予め設定された目的地までの経路を車両が走行するように案内する機能を制御部２０に実現させる。利用者は、地図情報３０ａに含まれる施設情報３０ｂから所望の施設を検索して目的地とすることが可能であり、当該目的地を検索する機能を制御部２０に実現させるため、ナビゲーションプログラム２１は、基準施設検索部２１ａと特定施設検索部２１ｂと評価取得部２１ｃと表示部２１ｄとを備えている。
【００２３】
基準施設検索部２１ａは、評価が対応づけられた複数の施設から基準検索条件に合致する施設を検索する機能を制御部２０に実現させるモジュールである。すなわち、制御部２０は、基準施設検索部２１ａの処理により、ユーザＩ／Ｆ部４４を介して利用者が設定した基準検索条件を取得し、施設情報３０ｂを参照して当該基準検索条件に合致する施設を検索し、基準施設として取得する。なお、基準検索条件は特定施設との対比を行うために利用者が着目する基準施設を特定するための検索条件であればよく、利用者所望の条件とともに既定の条件が含まれていてもよい。また、本実施形態において、基準検索条件は、施設に対応する任意のパラメータ（属性、領域、名称等）について設定可能である。
【００２４】
特定施設検索部２１ｂは、複数の施設から特定の検索条件に合致する特定施設を検索する機能を制御部２０に実現させるモジュールである。本実施形態において、特定の検索条件は利用者によって設定される検索条件であり、基準検索条件と異なる検索条件である。制御部２０は、基準検索条件による検索の後、特定施設検索部２１ｂの処理により、ユーザＩ／Ｆ部４４を介して利用者が設定した特定の検索条件を取得し、施設情報３０ｂを参照して当該特定の検索条件に合致する施設を検索し、特定施設として取得する。すなわち、本実施形態においては、先に行う検索によって基準となる基準施設を決定し、後に行う検索によって基準施設と対比される特定施設を決定する。なお、特定の検索条件は、利用者所望の条件とともに既定の条件が含まれていてもよい。また、本実施形態において、特定の検索条件は、施設に対応する任意のパラメータ（属性、領域、名称等）について設定可能である。
【００２５】
評価取得部２１ｃは、基準施設の評価と特定施設の評価を取得する機能を制御部２０に実現させるモジュールである。本実施形態において、制御部２０は、評価取得部２１ｃの処理により、通信部４３を介して外部の施設情報管理装置から基準施設の評価と前記特定施設の評価を取得する。すなわち、制御部２０は、基準施設が特定されると通信部４３を介して基準施設を示す情報を送信して当該基準施設の評価の送信要求を行う。施設情報管理装置は、送信要求を取得すると、基準施設に対して予め対応づけられている評価を示す情報を特定し、当該基準施設の評価を示す情報を送信する。制御部２０は、通信部４３を介して基準施設の評価を取得する。同様に、制御部２０は、特定施設が特定されると通信部４３を介して特定施設の評価の送信要求を行い、施設情報管理装置が送信要求に応じて特定施設の評価を示す情報を送信する。制御部２０は、通信部４３を介して特定施設の評価を取得する。
【００２６】
表示部２１ｄは、基準検索条件による検索結果と特定の検索条件による検索結果とをユーザＩ／Ｆ部４４のタッチパネルディスプレイに表示する機能と、基準施設の評価と特定施設の評価との対比を示す情報をユーザＩ／Ｆ部４４のタッチパネルディスプレイに表示する機能を制御部２０に実現させるモジュールである。すなわち、制御部２０は、表示部２１ｄの処理により、検索された基準施設と各基準施設の評価を表示するための制御信号をユーザＩ／Ｆ部４４に出力して基準施設と各基準施設の評価をユーザＩ／Ｆ部４４のタッチパネルディスプレイに表示する。また、制御部２０は、表示部２１ｄの処理により、検索された特定施設と各特定施設の評価を表示するための制御信号をユーザＩ／Ｆ部４４に出力して特定施設と各特定施設の評価をユーザＩ／Ｆ部４４のタッチパネルディスプレイに表示する。
【００２７】
基準施設の評価と特定施設の評価との対比を示す情報は、両施設の評価の対比を可能にする内容であればよく、施設毎の評価を個別に対比する表示内容であっても良いし、基準施設と特定施設とのそれぞれをグループ化して対比する表示内容であってもよい。本実施形態においては、基準施設と特定施設とのそれぞれをグループ化し、一方のグループに属する施設を他方のグループに含めて評価を対比し、さらに、グループ毎の評価を対比する構成を採用している。より具体的には、評価の順位および評価の平均によって基準施設の評価と特定施設の評価とを対比する構成となっており、評価の順位および評価の平均は特定施設の検索結果とともに表示される。具体的には、制御部２０は、基準施設の評価同士を比較して基準施設の中での各基準施設の順位を特定して第１順位とする。また、制御部２０は、基準施設および特定施設の評価と基準施設の評価とを比較し、基準施設および特定施設の中での各基準施設の順位を特定して第２順位とする。そして、制御部２０は、基準施設と基準施設の評価とともに第１順位と第２順位との変化を表示するための制御信号と、特定施設と特定施設の評価を表示するための制御信号をユーザＩ／Ｆ部４４に出力して第１順位と第２順位との変化をユーザＩ／Ｆ部４４のタッチパネルディスプレイに表示する。
【００２８】
また、制御部２０は、基準施設の評価の平均を取得して第１平均、特定施設の評価の平均を取得して第２平均とする。そして、特定施設および各特定施設の評価とともに第１平均と第２平均との変化を表示するための制御信号をユーザＩ／Ｆ部４４に出力して第１平均と第２平均との変化をユーザＩ／Ｆ部４４のタッチパネルディスプレイに表示する。
【００２９】
以上の構成によれば、表示部を視認することによって利用者が基準施設の評価と特定施設の評価を対比することが可能になり、利用者が着目する基準施設の評価に対して新たに検索した特定施設の評価がどのような関係にあるのか対比することが可能である。従って、基準施設の評価と特定施設の評価とを対比した上で検索結果から目的地とする施設を選択するか、あるいは他の目的地をさらに探すべきなのかを判断するための支援を行うことができる。このため、利用者は所望の評価の施設を容易に探すことが可能になり、容易に所望の評価の施設を目的地として設定することが可能になる。
【００３０】
さらに、評価の順位によって施設の評価を対比できるように構成しているため、検索条件を基準検索条件から特定の検索条件に変動させた場合に基準施設の評価の順位がどのように変化するのかを容易に把握することが可能になる。さらに、第１順位と第２順位とのそれぞれにおいては、基準施設と比較する比較対象が異なり、第１順位は基準検索条件を反映し、第２順位は特定の検索条件を反映している。このため、第１順位と第２順位とを対比すれば、基準検索条件を特定の検索条件に変更することによってより高評価の施設が検索されやすくなるのか、低評価の施設が検索されやすくなるのかを特定することが可能である。
【００３１】
さらに、評価の平均によって施設の評価を対比できるように構成しているため、検索条件を基準検索条件から特定の検索条件に変動させた場合に検索される施設の評価がどのように変化するのかを容易に把握することが可能になる。従って、基準検索条件を特定の検索条件に変更することによってより高評価の施設が検索されやすくなるのか、低評価の施設が検索されやすくなるのかを特定することが可能である。
【００３２】
（２）検索支援処理：
次に、本実施形態にかかる検索支援処理を詳細に説明する。図２は、検索支援処理を示すフローチャートであり、当該検索支援処理はナビゲーションプログラム２１によって制御部２０が利用者に目的地を選択させる際に実行される。また、図３Ａ〜３Ｃは、基準検索条件による検索を行って検索結果を表示する場合の画面遷移例を示し、図４Ａ〜４Ｃは、特定の検索条件による検索を行って検索結果を表示する場合の画面遷移例を示している。
【００３３】
検索支援処理において、まず制御部２０は、基準施設検索部２１ａの処理により、基準検索条件による検索を実行し（ステップＳ１００）、基準施設を取得する（ステップＳ１０５）。すなわち、制御部２０は、ユーザＩ／Ｆ部４４を介して利用者が指定する基準検索条件を取得し、施設情報３０ｂを参照して当該基準検索条件に合致する施設を検索し、基準施設として特定する。
【００３４】
図３Ａ〜図３Ｃは、特定の属性であるとともに車両の現在位置から所定距離以内にある施設を検索する条件を基準検索条件として検索する場合の例を示している。図３Ａに示す画面４４ａは、施設に対応づけられた属性を選択するためのユーザＩ／Ｆを構成しており、当該図３Ａに示す画面４４ａではタッチパネルディスプレイ上に属性を指示するための指示部４４ｂ１〜４４ｂ６が表示されている。また、検索実行を指示するための指示部４４ｃが表示されている。
【００３５】
以上のような表示がなされている状態において利用者がタッチパネルディスプレイ上の指示部４４ｂ１〜４４ｂ６のいずれかを指示して指示部４４ｃを指示すると、ユーザＩ／Ｆ部４４から各指示内容に応じた信号が出力され、制御部２０は、信号に基づいて操作内容を特定して検索を行う。例えば、利用者がレストランという属性を指示した場合、制御部２０は、ＧＰＳ受信部４０と車速センサ４１とジャイロセンサ４２との出力信号に基づいて車両の現在位置を特定し、施設情報３０ｂを参照して、レストラン属性が対応づけられた施設であって、車両の現在位置から所定距離以内の位置に存在する施設を特定する。本実施形態においては、検索された施設が基準施設となる。
【００３６】
次に、制御部２０は、評価取得部２１ｃの処理により、基準施設の第１順位および第１平均を取得する（ステップＳ１１０）。すなわち、制御部２０は、通信部４３を介して基準施設の評価の送信要求を行って施設情報管理装置から基準施設の評価を示す情報を取得する。そして、制御部２０は、基準施設の評価を示す情報に基づいて各施設の評価を比較することによって第１順位および第１平均を取得する。
【００３７】
第１順位および第１平均を取得すると、制御部２０は、表示部２１ｄの処理により、基準検索条件による検索結果と第１順位および第１平均をユーザＩ／Ｆ部４４に表示する（ステップＳ１１５）。図３Ｂに示す画面４４ａは、基準検索条件による検索結果と第１順位および第１平均を表示した状態の画面例を示している。同図３Ｂにおいては、基準検索条件によって４個の基準施設（レストランＡ，Ｂ，Ｃ，Ｄ）が検索された場合の例を示しており、この例では矩形で示す表示部４４ｄ１〜４４ｄ４内に検索結果であるレストランＡ，Ｂ，Ｃ，Ｄが表示されている。
【００３８】
なお、図３Ｂに示す例においては、車両の現在位置から施設までの距離が小さいほど上になるように上から下に並べた状態でレストランＡ，Ｂ，Ｃ，Ｄが表示されており、各レストランＡ，Ｂ，Ｃ，Ｄを示す表示部４４ｄ１〜４４ｄ４の内側には、各レストランＡ，Ｂ，Ｃ，Ｄの第１順位、評価、車両の現在位置からの距離が示されている。例えば、表示部４４ｄ１にて示されるレストランＡは、第１順位が２位、評価が４．３、車両の現在位置からの距離が５０ｍである。第１平均は画面４４ａの右側の矩形（図３Ｂに示す表示部４４ｅ）内に表示されている。
【００３９】
ステップＳ１１５においては、制御部２０は、特定の検索条件による検索実行の指示あるいは目的地の指示がなされるまで入力を受け付ける状態で待機する（ステップＳ１２０，Ｓ１２５）。すなわち、制御部２０は、ユーザＩ／Ｆ部４４において検索指示に対応する操作が行われた場合に特定の検索条件による検索実行の指示がなされたとみなす。また、制御部２０は、ユーザＩ／Ｆ部４４において予め決められた目的地の指示に対応する操作が行われた場合に目的地が指示されたとみなす。
【００４０】
具体的には、図３Ｂに示す画面４４ａにおいて矩形内に地図表示と記された指示部４４ｆが表示されており、利用者は当該指示部４４ｆに触れることによって画面を地図表示に切り替える指示を行うことができる。指示部４４ｆによる地図表示への切替指示がなされると、ユーザＩ／Ｆ部４４から当該指示を示す信号が出力され、制御部２０は当該信号に応じてユーザＩ／Ｆ部４４に制御信号を出力し、画面４４ａを図３Ｃに切り替える。
【００４１】
すなわち、制御部２０は、図３Ｃに示す画面４４ａのように、タッチパネルディスプレイの画面の左側に地図を表示するとともに車両の現在位置を示すアイコン４４ｊおよび基準施設（レストランＡ，Ｂ，Ｃ，Ｄ）を示すアイコン４４ｉ１〜４４ｉ４を表示する。また、画面の右側の上部に矩形で示す表示部４４ｇ内に第１平均を評価平均として表示する。さらに、表示部４４ｇの下に矩形の表示部４４ｈ１〜４４ｈ４を表示し、基準施設（レストランＡ，Ｂ，Ｃ，Ｄ）の第１順位および評価値を表示部４４ｈ１〜４４ｈ４内に表示するとともに、当該表示部４４ｈ１〜４４ｈ４に記載された基準施設が第１順位に従って上から並ぶように配置する。
【００４２】
さらに、図３Ｃに示す地図を表示した状態において、ユーザＩ／Ｆ部４４は利用者の操作を受け付けており、利用者は、地図上の任意の位置を指示することによって地図の表示範囲を切り替える指示を行うことが可能である。すなわち、ユーザＩ／Ｆ部４４が地図の表示範囲を切り替える指示を示す信号を出力した場合、制御部２０は、当該信号に基づいて指示された位置を中心とした所定範囲の地図を表示するための制御信号をユーザＩ／Ｆ部４４に対して出力して地図の表示範囲を切り替えて表示する。
【００４３】
図４Ａは、地図を切り替えた場合の例を示しており、本例においては、地図内に示す破線より右側かつ下側の部分が図３Ｃに示す画面で表示されていた地図と共通の地図である。この画面において、制御部２０は、図４Ａに示す画面４４ａのように、表示部４４ｇ内で評価平均を表示せず、右下に再検索を指示するための指示部４４ｋを表示する。本実施形態においては、図４Ａのように地図の表示範囲を切り替えた後に指示部４４ｋにて再検索の指示を行うことが特定の検索条件による検索（再検索）の実行指示であるとみなす。すなわち、ユーザＩ／Ｆ部４４から当該指示部４４ｋによる指示を示す信号が出力されると、制御部２０はステップＳ１２０にて特定の検索条件による検索実行の指示がなされたと判定し、ステップＳ１３０以降を実行して特定の検索条件による検索を実行する。
【００４４】
一方、本実施形態において利用者は、図３Ｂ、図３Ｃ、図４Ａに示す画面４４ａにおいて各レストランＡ，Ｂ，Ｃ，Ｄを示す表示部４４ｄ１〜４４ｄ４やアイコン４４ｉ１〜４４ｉ４を指示することによって目的地を確定することが可能である。当該目的地を確定するための指示がなされるとユーザＩ／Ｆ部４４から当該目的地を示す信号が出力され、制御部２０は、ステップＳ１２５において目的地が指示されたと判定し、当該指示された目的地を示す情報をＲＡＭに記録して検索支援処理を終了する。
【００４５】
上述の特定の検索条件は、ステップＳ１００にて指定された基準検索条件と異なる検索条件であればよい。本実施形態においては、指示部４４ｋによって再検索が指示された時点で画面４４ａに表示されている地図の領域内に存在するとともに、ステップＳ１００にて指定された属性に属する施設を検索する条件が特定の検索条件である。制御部２０は、ステップＳ１２０にて特定の検索条件による検索実行の指示がなされたと判定された場合、施設情報３０ｂを参照して当該特定の検索条件に合致する施設を検索し（ステップＳ１３０）、検索された施設であって基準施設と異なる施設を特定施設として取得する（ステップＳ１３５）。すなわち、制御部２０は、特定施設検索部２１ｂの処理により、地図情報３０ａを参照してタッチパネルディスプレイに表示中の地図の領域を特定し、施設情報３０ｂを参照して当該領域内に存在する施設を検索するとともにステップＳ１００にて指定された属性の施設を検索する。そして、検索された施設から基準施設を除外して残りの施設を特定施設とする。例えば、図４Ａに示す画面４４ａの地図上に含まれるレストランＣ，Ｄは特定の検索条件によって検索されるが、これらの施設は基準施設であるため特定施設とはしない。
【００４６】
次に、制御部２０は、評価取得部２１ｃの処理により、基準施設の第２順位および特定施設の第２平均を取得する（ステップＳ１４０）。すなわち、制御部２０は、通信部４３を介して特定施設の評価の送信要求を行って施設情報管理装置から特定施設の評価を示す情報を取得する。そして、制御部２０は、基準施設の評価を示す情報および特定施設の評価を示す情報に基づいて基準施設および特定施設の評価を比較することによって各施設の順位を特定する。当該順位のうち、各基準施設の順位が第２順位である。また、特定施設の評価に基づいて特定施設の評価の平均を取得して第２平均とする。
【００４７】
第２順位および第２平均を取得すると、制御部２０は、表示部２１ｄの処理により、基準検索条件による検索結果をユーザＩ／Ｆ部４４に表示する（ステップＳ１４５）。なお、図４Ａに示す例のように、特定の検索条件による検索時に基準施設がタッチパネルディスプレイに表示されている状態であれば、当該基準施設の表示を維持するため、ステップＳ１４５においては特定施設と基準施設との双方がタッチパネルディスプレイに表示された状態とする。特定の検索条件による検索時に基準施設がタッチパネルディスプレイに表示されていない状態であれば、ステップＳ１４５においては特定施設がタッチパネルディスプレイに表示された状態とする。
【００４８】
図４Ｂは、特定の検索条件による検索時に基準施設がタッチパネルディスプレイに表示されていた場合の、特定の検索条件による検索結果の表示例である。すなわち、制御部２０は、図４Ｂに示す画面４４ａのように、図４Ａに示す画面４４ａの地図上に表示されていた基準施設であるレストランＣ，Ｄを示すアイコン４４ｉ１，４４ｉ４に加え、検索された特定施設であるレストランＥ，Ｆを示すアイコン４４ｌ１，４４ｌ２を地図上に表示する。一方、図４Ｃは、特定の検索条件による検索時に基準施設がタッチパネルディスプレイに表示されていなかった場合の、特定の検索条件による検索結果の表示例である。すなわち、制御部２０は、図４Ｃに示す画面４４ａのように、検索された特定施設であるレストランＧ，Ｈを示す矩形のアイコン４４ｏ１，４４ｏ２を地図上に表示する。地図上に基準施設は表示されない。以上の図４Ｂ，図４Ｃにおいては、施設を示す各アイコンに対して、その評価値を併記している。
【００４９】
次に、制御部２０は、第１平均と第２平均とが異なるか否かを判定し（ステップＳ１５０）、異なると判定された場合にはステップＳ１５５以降の処理を実行し、異なると判定されなければステップＳ１５５〜Ｓ１６５をスキップする。ステップＳ１５５において、制御部２０は、第２平均が第１平均より大きいか否かを判定する。ステップＳ１５５において、第２平均が第１平均より大きいと判定されない場合、制御部２０は、第２平均を表示するとともに平均が低下したことを示す表示を行う（ステップＳ１６０）。ステップＳ１５５において、第２平均が第１平均より大きいと判定された場合、制御部２０は、第２平均を表示するとともに平均が上昇したことを示す表示を行う（ステップＳ１６５）。
【００５０】
すなわち、第２平均が第１平均より大きい場合、検索条件を基準検索条件から特定の検索条件に変動させたことにより、検索結果として得られる施設の評価の平均が上昇したことになる。そこで、ステップＳ１６５においては、当該平均の上昇を示す表示を行う。図４Ｂにおいては、矩形で示す表示部４４ｍ内に第１平均から第２平均に向かう矢印とともに第１平均および第２平均を示す値を表示している。なお、本例において、第１平均は、レストランＡ，Ｂ，Ｃ，Ｄの評価平均である４．０，第２平均はレストランＥ，Ｆの評価平均である４．７である。さらに、図４Ｂに示す例においては、地図の枠線を太線で表示するとともに平均が上昇したことを示す色（例えば、赤）によって表示している。ステップＳ１６０においては、図４Ｃに示すように、表示部４４ｍ内に第１平均から第２平均に向かう矢印とともに第１平均および第２平均を示す値を表示し、地図の枠線を太線で表示するとともに平均が低下したことを示す色（例えば、青）によって表示する。なお、本例において、第１平均は、レストランＡ，Ｂ，Ｃ，Ｄの評価平均である４．０，第２平均はレストランＧ，Ｈの評価平均である３．２である。
【００５１】
さらに、制御部２０は、第１順位と第２順位との対比を表示する（ステップＳ１７０）。本実施形態において、制御部２０は、第１順位と第２順位とを同時に表示することによって基準施設の順位変化（第１順位と第２順位との変化）を利用者に認識させる構成となっている。すなわち、制御部２０は、地図上において各施設のアイコンに対して上述のように評価値を併記するとともに、特定施設および基準施設の中での各施設の順位を表示している。この順位のうち、基準施設の順位は第２順位である。例えば、図４Ｂにおいては、特定施設であるレストランＥ，Ｆがそれぞれ１位，３位であることを示し、レストランＣ，Ｄがそれぞれ２位，６位であることを地図上のアイコン４４ｉ１，４４ｉ４，４４ｌ１，４４ｌ２に併記して示している。当該２位，６位は基準施設についての順位であるため第２順位である。
【００５２】
本実施形態においては、さらに、第１順位を第２順位と併記する構成としており、制御部２０は、図４Ｂに示すような複数の矩形の表示部４４ｎ１〜４４ｎ４において、括弧を付さずに第２順位を示し、括弧内に第１順位を示している。例えば、表示部４４ｎ１〜４４ｎ４においては、括弧を付さずに２位、括弧内に前回１位と示されているため、基準施設であるレストランＣの第２順位が２位，第１順位が１位であることが明示されている。
【００５３】
なお、図４Ｃに示す例においても同様であり、制御部２０は、地図上のアイコン４４ｏ１，４４ｏ２に、特定施設の順位と評価値を併記するとともに、表示部４４ｎ１において基準施設の順位の変化と評価値を表示する。例えば、図４Ｃにおいては、特定施設であるレストランＧ，Ｈがそれぞれ４位，６位であることを示している。また、表示部４４ｎ１〜４４ｎ４において、括弧を付さずに第２順位を示し、括弧内に第１順位を示している。例えば、表示部４４ｎ１においては、括弧を付さずに１位、括弧内に前回１位と示されているため、基準施設であるレストランＣの第２順位が１位であり、第１順位も１位であることが明示されている。
【００５４】
図４Ｃに示す例は、特定の検索条件での検索対象に基準施設が含まれない状態でステップＳ１３０における検索を行った場合に相当し、この場合は、検索結果としての特定施設を地図上に表示する際に、当該地図に基準施設は表示されない。しかし、本実施形態においては、特定の検索条件での検索対象に基準施設が含まれない状態であっても、画面４４ａの右側の表示部４４ｎ１〜４４ｎ４において、基準施設について第１順位と第２順位を同時に表示することによって、基準施設の評価と特定施設の評価とを対比できるように構成している。この結果、特定の検索条件をどのような条件に設定したとしても、利用者は、先に検索した基準施設と後に検索した特定施設について評価を対比しながら目的地とすべきか否かを検討することが可能になる。
【００５５】
なお、制御部２０は、ステップＳ１７０を実行すると、再びステップＳ１２５以降の処理を繰り返す。当該繰り返し処理において、目的地が決定されずに再度特定の検索条件による検索実行が指示された場合、基準施設はステップＳ１０５にて特定された施設となるが、むろん、一旦特定施設として検索された施設を新たに基準施設としてもよいし、既存の基準施設に加えてもよく、種々の構成を採用可能である。
【００５６】
（３）他の実施形態：
以上の実施形態は、本発明を実施するための一例であり、基準検索条件によって検索された基準施設の評価と特定の検索条件によって検索された特定施設の評価との対比を示す情報を表示部に表示する限りにおいて他にも種々の実施形態を採用可能である。例えば、施設に対応づけられる評価は上述の実施形態のように施設に付帯する事項に関する評価値に限定されず、施設自体の評価（例えば、立地や規模などの評価）であってもよい。また、評価項目や評価手法の態様は特に限定されず、評価項目が複数個であってもいいし、数値ではなく段階的な評価であってもよい。
【００５７】
さらに、基準検索条件は、基準施設を抽出するための検索条件であればよく、利用者が設定する構成の他、予め特定されていてもよい。さらに、基準施設は、基準検索条件に合致する施設であればよく、基準検索条件によって検索された施設の全てであってもよいが、基準検索条件によって検索された施設の中から少なくとも一つの施設を選択して基準施設としてもよい。
【００５８】
さらに、上述の実施形態においては、図４Ｂに示すように、特定の検索条件による検索結果から基準施設を除外した残りの施設を特定施設としたが、特定の検索条件による検索結果の一部に基準施設が含まれる場合、その施設を基準施設であるとともに特定施設でもあるとみなす構成としてもよい。この構成によれば、第２平均において、基準施設の一部を加味して平均の値を取得することができる。例えば、図４Ｂに示す例において、地図上に表示されているレストランＣ，Ｄ，Ｅ，Ｆの評価値の平均を第２平均とすることが可能である。
【００５９】
さらに、検索支援装置に付属する記録媒体に対して予め各施設の評価を示す情報を記録しておき、特定施設や基準施設の評価を当該記録媒体から取得する構成としてもよい。
【００６０】
さらに、図４Ｂや図４Ｃに示す画面は検索結果の表示例であり、むろん、他の態様で画面を構成してもよい。例えば、図４Ｂや図４Ｃにおいては、画面の右側において基準施設を第１順位および第２順位とともに表示しているが、基準施設と特性施設とを合わせた状態で順位を表示してもよい。また、図４Ｂに示す例においては、画面の左側の地図に表示されていない基準施設が画面の右側に表示される（図４ＢにおいてはレストランＡ，Ｂ）が、当該基準施設が地図には表示されていないことを明示する構成としてもよい。例えば、レストランＡ，Ｂを表示するための表示部４４ｎ２，４４ｎ３の表示色を薄くする構成等を採用可能である。
【００６１】
さらに、検索手法は、上述のような車両からの距離を指定した属性検索に限定されない。すなわち、本発明は、先に基準検索条件によって基準施設を検索し、後に特定の検索条件によって特定施設を検索するあらゆる検索システムに適用することが可能である。従って、利用者が入力した文字列によって施設の名称の一部を指定する文字列検索、車両にて過去に目的地とされたことのある施設を検索対象とした目的地履歴検索、車両に対して予めお気に入り施設として登録された施設を検索対象としたお気に入り検索、地域（あるいは住所）によって検索対象の施設を限定する地域検索、車両の現在位置の周辺の施設を検索対象とした周辺検索、施設に備えられた電話番号の一部を指定する電話番号検索、地図コードによる地図コード検索、車両にて過去に走行を開始したことのある施設を検索対象とした走行開始地点履歴検索など、各種の検索から任意の検索を選択して基準検索条件による検索や特定の検索条件による検索を実行するように構成可能である。むろん、各検索において、任意のパラメータを限定する検索条件を付加可能に構成してもよい。
【００６２】
図５Ａ〜図５Ｄは、文字列検索によって基準施設を検索し、その後、地域検索によって特定施設を検索する構成例を示す図である。すなわち、制御部２０はユーザＩ／Ｆ部４４にて図５Ａに示すような文字列を入力するための指示部４５ａ等を表示し、各文字列に対する指示をユーザＩ／Ｆ部４４によって受け付けて、受け付けた文字列を表示部４５ｂに表示する。また、制御部２０がユーザＩ／Ｆ部４４を介して決定指示部４５ｃに対する指示を受け付けると、制御部２０は施設情報３０ｂを参照して入力済の文字列が施設名称の少なくとも一部となっている施設を検索する。
【００６３】
図５Ｂは、当該文字列検索の検索結果であり、制御部２０はユーザＩ／Ｆ部４４に信号を出力し、検索結果として得られた施設を表示部４５ｄ１〜４５ｄ４に表示する。例えば、図５Ｂに示す表示部４５ｄ１においては、施設の名称が「ＡＢＡＡ」という施設において、順位が２位、施設の評価が４．３、車両の現在位置からの距離が５０ｍであることを明示している。制御部２０は、当該表示において表示部４５ｄ１〜４５ｄ４に対する利用者の指示を受け付けており、表示された施設のいずれかが選択されると選択された施設を基準施設とする。
【００６４】
基準施設が選択されると、制御部２０は当該基準施設と車両の現在位置とを地図上に表示する。図５Ｃにおいては、地図上に車両の現在位置を示すアイコン４５ｅおよび基準施設を示すアイコン４５ｆが表示されている。制御部２０は、当該図５Ｃに示すような画面を表示した状態で利用者がユーザＩ／Ｆ部４４を介して地図の表示範囲の変更指示や再検索指示部４５ｇに対する指示がなされた否かを判定している。すなわち、利用者が、地図上の任意の位置に触れる指示を行うと、制御部２０は当該指示された位置が中心となるように地図の表示範囲を切り替える。さらに、地図の表示範囲が切り替えられた後に再検索指示部４５ｇに対する指示がなされると、制御部２０は、当該指示に応じて画面に表示された地図の範囲を検索対象の地域とし、基準施設と同じ属性の他の施設を検索して特定施設とする。
【００６５】
図５Ｄは、当該特定施設を検索した場合の表示例を示しており、制御部２０は、特定施設を検索した後に、特定施設の評価と基準施設の評価とを取得して各施設の順位を特定し、評価値とともに表示する。すなわち、図５Ｄに示すように、地図上に基準施設（ＡＢＪＪ）の位置と特定施設（ＥＥＡＡ，ＦＦＡＡ）の位置が表示され、さらに、画面の右側において基準施設と特定施設の評価値および順位が示される。この結果、利用者は、基準施設と特定施設の評価を直接的に認識することが可能であるとともに、特定施設の中で基準施設がどのような相対的評価にあるのかを認識することが可能である。このように、本発明は複数回の検索を行うあらゆる技術に対して適用可能であり、本発明によれば、先に検索した基準施設と後に検索した特定施設との評価を対比することが可能になる。
【符号の説明】
【００６６】
１０…ナビゲーション装置、２０…制御部、２１…ナビゲーションプログラム、２１ａ…基準施設検索部、２１ｂ…特定施設検索部、２１ｃ…評価取得部、２１ｄ…表示部、３０…記録媒体、３０ａ…地図情報、３０ｂ…施設情報、４０…受信部、４１…車速センサ、４２…ジャイロセンサ、４３…通信部、４４…ユーザＩ／Ｆ部、４４ａ…画面、４４ｂ…指示部、４４ｃ…指示部、４４ｄ…表示部、４４ｅ…表示部、４４ｆ…指示部、４４ｇ…表示部、４４ｈ…表示部、４４ｉ…アイコン、４４ｊ…アイコン、４４ｋ…指示部、４４ｌ…アイコン、４４ｍ…表示部、４４ｎ…表示部、４４ｏ…アイコン
【図１】
2010231345.tif 000003
【図２】
2010231345.tif 000004
【図３】
2010231345.tif 000005
【図４】
2010231345.tif 000006
【図５】
2010231345.tif 000007